【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
情報処理装置から入力した画像情報に基づき記録紙に画像を印刷する際に、あらかじめ画像形成手段まで記録紙を搬送させるプレフィードを行う画像出力装置であって、
前記記録紙の種類を検出する検出手段と、
前記検出手段での検出結果に応じて、前記画像形成手段の搬送速度を変更する変更手段と、
前記変更手段により変更を行う場合、前記プレフィードを行わないように制御する制御手段とを有することを特徴とする画像出力装置。
【請求項２】
前記変更手段は、前記記録紙が特定の大きさの記録紙の場合、変更を行うことを特徴とする請求項１に記載の画像出力装置。
【請求項３】
前記特定の大きさの記録紙は、ハガキ、往復ハガキ或いは封筒であることを特徴とする請求項１に記載の画像出力装置。
【請求項４】
前記変更手段は、前記記録紙が所定の幅より小さい場合、変更を行うことを特徴とする請求項１に記載の画像出力装置。
【請求項５】
前記変更手段は、前記記録紙が特定の材質の記録紙の場合、変更を行うことを特徴とする請求項１に記載の画像出力装置。
【請求項６】
前記変更手段は、前記記録紙が特定の厚さの記録紙の場合、変更を行うことを特徴とする請求項１に記載の画像出力装置。
【請求項７】
前記変更手段は、更に前記画像形成手段の解像度を変更することを特徴とする請求項１乃至６の何れか１項に記載の画像出力装置。
【請求項８】
情報処理装置から入力した画像情報に基づき記録紙に画像を印刷する際に、あらかじめ画像形成手段まで記録紙を搬送させるプレフィードを行う画像出力装置の制御方法であって、
前記記録紙の種類を検出する検出工程と、
前記検出工程での検出結果に応じて、前記画像形成手段の搬送速度を変更する変更工程と、
前記変更工程で変更を行う場合、前記プレフィードを行わないように制御する制御工程とを有することを特徴とする画像出力装置の制御方法。
【請求項９】
前記変更工程は、更に前記画像形成手段の解像度を変更することを特徴とする請求項８に記載の画像出力装置の制御方法。
【請求項１０】
請求項８に記載の画像出力装置の制御方法をコンピュータに実行させるためのプログラムを記録したコンピュータ読み取り可能な記録媒体。
【請求項１１】
情報処理装置から入力された画像情報を解釈し、ビットマップデータに変換し、ビデオ信号に変換する画像情報展開処理部（以下、コントローラ）と、該ビデオ信号に同期して、記録紙を搬送し、且つ記録紙に印刷して記録紙を排出する画像形成部（以下、エンジン）と、
印刷する以前の記録紙を格納する記録紙格納部を有し、前記コントローラから前記エンジンに対して印刷開始信号を送出する以前に記録紙を記録紙格納部から記録紙に印刷する前段まで搬送する手段（以下、プレフィード）とを有する画像出力装置であって、
前記エンジンにおける複数の解像度（以下、エンジン解像度）を有し、複数のエンジン解像度のうちから１つを選択する手段と、
前記エンジンにおける複数の搬送速度を有し、複数の搬送速度のうちから１つを選択する手段と、
前記記録紙の種類（材質、形状、大きさ、厚さ、重さなど）に応じて前記エンジン解像度と前記搬送速度とを変更する手段と、
前記エンジン解像度と前記搬送速度とを変更する場合は、前記プレフィードを行わないように制御する手段とを有することを特徴とする画像出力装置。
【請求項１２】
前記記録紙の大きさ（以下、用紙サイズ）を複数の中から１つ指定する手段を有し、該用紙サイズが特定の用紙サイズの場合のみ、前記エンジン解像度と前記搬送速度とを変更することを特徴とする請求項１１に記載の画像出力装置。
【請求項１３】
前記特定の用紙サイズは、ハガキ、往復ハガキ、或いは封筒であることを特徴とする請求項１１に記載の画像出力装置。
【請求項１４】
前記記録紙の幅（搬送方向に対して垂直な方向。以下、用紙幅）を検出する手段を有し、該用紙幅が特定の用紙幅より小さい場合のみ、前記エンジン解像度と前記搬送速度とを変更することを特徴とする請求項１１に記載の画像出力装置。
【請求項１５】
前記記録紙の材質及び厚さ（以下、用紙タイプ）を複数の中から１つ指定する手段を有し、該用紙タイプが特定の用紙タイプの場合のみ、前記エンジン解像度と前記搬送速度とを変更することを特徴とする請求項１１に記載の画像出力装置。
【請求項１６】
前記特定の用紙タイプは、厚さが厚い記録紙であることを特徴とする請求項１１に記載の画像出力装置。
【請求項１７】
情報処理装置から入力された画像情報を解釈し、ビットマップデータに変換し、ビデオ信号に変換する画像情報展開処理部（以下、コントローラ）と、該ビデオ信号に同期して、記録紙を搬送し、且つ記録紙に印刷して記録紙を排出する画像形成部（以下、エンジン）と、
印刷する以前の記録紙を格納する記録紙格納部を有し、前記コントローラから前記エンジンに対して印刷開始信号を送出する以前に記録紙を記録紙格納部から記録紙に印刷する前段まで搬送する手段（以下、プレフィード）とを有する画像出力装置であって、
前記エンジンにおける複数の搬送速度を有し、複数の搬送速度のうちから１つを選択する手段と、
前記記録紙の種類（材質、形状、大きさ、厚さ、重さなど）に応じて、前記搬送速度を変更する手段と、
前記搬送速度を変更する場合は、前記プレフィードを行わないように制御する手段とを有することを特徴とする画像出力装置。
【請求項１８】
前記記録紙の大きさ（以下、用紙サイズ）を複数の中から１つ指定する手段を有し、該用紙サイズが特定の用紙サイズの場合のみ、前記搬送速度を変更することを特徴とする請求項１７に記載の画像出力装置。
【請求項１９】
前記特定の用紙サイズは、ハガキ、往復ハガキ、或いは封筒であることを特徴とする請求項１７に記載の画像出力装置。
【請求項２０】
前記記録紙の幅（搬送方向に対して垂直な方向。以下、用紙幅）を検出する手段を有し、該用紙幅が特定の用紙幅より小さい場合のみ、前記搬送速度を変更することを特徴とする請求項１７に記載の画像出力装置。
【請求項２１】
前記記録紙の材質及び厚さ（以下、用紙タイプ）を複数の中から１つ指定する手段を有し、該用紙タイプが特定の用紙タイプの場合のみ、前記搬送速度を変更することを特徴とする請求項１７に記載の画像出力装置。
【請求項２２】
前記特定の用紙タイプは、厚さが厚い記録紙であることを特徴とする請求項１７に記載の画像出力装置。
【手続補正２】
【補正対象書類名】明細書
【補正対象項目名】０００８
【補正方法】変更
【補正の内容】
【０００８】
本発明は、上述の課題を解決するためになされたものであり、記録紙の種類に応じて、画像情報の解像度と画像形成手段の解像度及び搬送速度とを変更する場合に、プレフィードを行わないように制御することにより、低コストで定着不良、転写不良等による画像の品質低下や画像伸縮による不良を防止できる画像出力装置及びその制御方法を提供することを目的とする。
【手続補正３】
【補正対象書類名】明細書
【補正対象項目名】０００９
【補正方法】変更
【補正の内容】
【０００９】
【課題を解決するための手段】
上記目的を達成するために、本発明は、情報処理装置から入力した画像情報に基づき記録紙に画像を印刷する際に、あらかじめ画像形成手段まで記録紙を搬送させるプレフィードを行う画像出力装置であって、前記記録紙の種類を検出する検出手段と、前記検出手段での検出結果に応じて、前記画像形成手段の搬送速度を変更する変更手段と、前記変更手段により変更を行う場合、前記プレフィードを行わないように制御する制御手段とを有することを特徴とする。
【手続補正４】
【補正対象書類名】明細書
【補正対象項目名】００１０
【補正方法】変更
【補正の内容】
【００１０】
また、上記目的を達成するために、本発明は、情報処理装置から入力した画像情報に基づき記録紙に画像を印刷する際に、あらかじめ画像形成手段まで記録紙を搬送させるプレフィードを行う画像出力装置の制御方法であって、前記記録紙の種類を検出する検出工程と、前記検出工程での検出結果に応じて、前記画像形成手段の搬送速度を変更する変更工程と、前記変更工程で変更を行う場合、前記プレフィードを行わないように制御する制御工程とを有することを特徴とする。
【手続補正５】
【補正対象書類名】明細書
【補正対象項目名】００８０
【補正方法】変更
【補正の内容】
【００８０】
【発明の効果】
以上説明したように、本発明によれば、記録紙の種類に応じて、画像情報の解像度と画像形成手段の解像度及び搬送速度とを変更する場合に、プレフィードを行わないように制御することにより、低コストで定着不良、転写不良等による画像の品質低下や画像伸縮による不良を防止することができる。